(57)【要約】      （修正有）【課題】列毎反転交流駆動法と黒挿入技術を採用した場合に生じる横筋を抑制して高品質の映像を表示する。【解決手段】列毎反転交流駆動法を採用する液晶表示装置において、１フレーム期間内の黒挿入期間内に、前記走査線駆動回路は、前記複数の走査線の所定数の走査線に対して選択走査電圧を供給し、１フレーム期間内の黒挿入期間内に、前記映像線駆動回路は、前記複数の映像線に対して表示パネルに黒を表示する映像電圧を供給し、１水平走査期間の長さをＨａ、αを任意の値とするとき、前記黒挿入期間の次の１水平走査期間の長さはＨａであり、前記黒挿入期間の次の１水平走査期間以外の１水平走査期間の長さは（Ｈａ−α）である。【選択図】図２−１
2008256947.tif 000002
【特許請求の範囲】
【請求項１】
複数のサブピクセルを有する液晶表示パネルと、
前記複数のサブピクセルの各サブピクセルに走査電圧を入力する複数の走査線と、
前記複数のサブピクセルの各サブピクセルに映像電圧を入力する複数の映像線とを備える液晶表示パネルと、
前記複数の走査線に走査電圧を供給する走査線駆動回路と、
前記複数の映像線に映像電圧を供給する映像線駆動回路とを備え、
前記複数のサブピクセルの各サブピクセルは、画素電極と、対向電極とを有し、
前記複数のサブピクセルの各サブピクセルには、１フレーム期間の黒挿入期間内に液晶表示パネルに黒を表示する映像電圧が供給され、
前記対向電極に入力する対向電圧よりも高電位の映像電圧を正極性の映像電圧、また、前記対向電極に入力する対向電圧よりも低電位の映像電圧を負極性の映像電圧とするとき、１フレーム期間に前記映像線駆動回路から互いに隣接する前記各映像線に供給する映像電圧の極性は異なっているとともに、１フレーム期間に前記映像線駆動回路から前記各映像線に供給する映像電圧の極性は一定で、かつ、連続する２つのフレームの間では前記映像線駆動回路から前記各映像線に供給される映像電圧の極性が異なっている液晶表示装置であって、
１水平走査期間の長さをＨａ、αを任意の値とするとき、前記黒挿入期間の次の１水平走査期間の長さをＨ、前記黒挿入期間の次の１水平走査期間以外の１水平走査期間の長さを（Ｈａ−α）とすることを特徴とする液晶表示装置。
【請求項２】
前記走査線駆動回路にシフトクロックを送出する表示制御回路を備え、
前記表示制御回路は、前記シフトクロックのパルス幅を変更し、前記黒挿入期間の次の１水平走査期間の長さをＨ、前記黒挿入期間の次の１水平走査期間以外の１水平走査期間の長さを（Ｈａ−α）とすることを特徴とする請求項１に記載の液晶表示装置。
【請求項３】
前記黒挿入期間の次の１水平走査期間以外の１水平走査期間における前記シフトクロックのＨｉｇｈレベルのパルス幅が、前記黒挿入期間の次の１水平走査期間の前記シフトクロックにおけるＨｉｇｈレベルのパルス幅よりも広いことを特徴とする請求項２に記載の液晶表示装置。
【請求項４】
複数のサブピクセルを有する液晶表示パネルと、
前記複数のサブピクセルの各サブピクセルに走査電圧を入力する複数の走査線と、
前記複数のサブピクセルの各サブピクセルに映像電圧を入力する複数の映像線とを備える液晶表示パネルと、
前記複数の走査線に走査電圧を供給する走査線駆動回路と、
前記複数の映像線に映像電圧を供給する映像線駆動回路とを備え、
前記複数のサブピクセルの各サブピクセルは、画素電極と、対向電極とを有し、
前記複数のサブピクセルの各サブピクセルには、１フレーム期間の黒挿入期間内に液晶表示パネルに黒を表示する映像電圧が供給され、
前記対向電極に入力する対向電圧よりも高電位の映像電圧を正極性の映像電圧、また、前記対向電極に入力する対向電圧よりも低電位の映像電圧を負極性の映像電圧とするとき、１フレーム期間に前記映像線駆動回路から互いに隣接する前記各映像線に供給する映像電圧の極性は異なっているとともに、１フレーム期間に前記映像線駆動回路から前記各映像線に供給する映像電圧の極性は一定で、かつ、連続する２つのフレームの間では前記映像線駆動回路から前記各映像線に供給される映像電圧の極性が異なっている液晶表示装置であって、
１水平走査期間の映像電圧の基準書き込み時間をＨｂ、βを任意の値とするとき、前記黒挿入期間の次の１水平走査期間の映像電圧書き込み時間をＨｂ、前記黒挿入期間の次の１水平走査期間以外の１水平走査期間の映像電圧書き込み時間を（Ｈｂ−β）とすることを特徴とする液晶表示装置。
【請求項５】
前記映像線駆動回路に出力タイミング制御用クロックを送出する表示制御回路を備え、
前記表示制御回路は、前記出力タイミング制御用クロックのパルス幅を変更し、前記黒挿入期間の次の１水平走査期間の映像電圧書き込み時間をＨｂ、前記黒挿入期間の次の１水平走査期間以外の１水平走査期間の映像電圧書き込み時間を（Ｈｂ−β）とすることを特徴とする請求項４に記載の液晶表示装置。
【請求項６】
前記黒挿入期間の次の１水平走査期間以外の１水平走査期間における前記シフトクロックのＨｉｇｈレベルのパルス幅が、前記黒挿入期間の次の１水平走査期間の前記シフトクロックにおけるＨｉｇｈレベルのパルス幅よりも広いことを特徴とする請求項５に記載の液晶表示装置。
【請求項７】
前記対向電極に入力する対向電圧は一定であることを特徴とする請求項１ないし請求項６のいずれか１項に記載の液晶表示装置。
【発明の詳細な説明】
【技術分野】
【０００１】
本発明は、液晶表示装置に係り、特に、列毎反転交流駆動法と黒挿入技術を採用する液晶表示装置に適用して有効な技術に関する。
【背景技術】
【０００２】
コンピュータやその他の情報機器の高精細度カラーモニター、あるいはテレビ受像機の表示デバイスとして、液晶表示モジュールが使用される。
液晶表示モジュールは、基本的には、少なくとも一方が透明なガラス等からなる二枚の（一対の）基板の間に、液晶層を挟持した、所謂、液晶表示パネルを有し、この液晶表示パネルの基板に形成したサブピクセル形成用の各種電極に選択的に電圧を印加して、所定サブピクセルの点灯と消灯を行うものである。
液晶表示モジュールにおいては、静止画の場合はちらつきのない良好な表示品質を得ることができる反面、動画の場合には移動する物体の周囲がぼやけて見える、所謂、動画ぼやけが発生するという課題がある。
この動画ぼやけの発生要因は、物体の移動に伴い視線を移動する際、輝度のホールドされた表示画像に対して移動前後の表示イメージを観測者が補間する、所謂、網膜残像に起因するため、表示ディスプレイ装置の応答速度をどれだけ向上させても動画ぼやけは完全に解消しない。
これを解決するためには、より短い周波数で表示画像を更新するか、黒画面などの挿入によって一旦網膜残像をキャンセルすることで、インパルス応答型ディスプレイ装置に近づける方法が有効である。
【０００３】
なお、本願発明に関連する先行技術文献としては以下のものがある。
【特許文献１】特開２００５−２５００５０号公報
【発明の開示】
【発明が解決しようとする課題】
【０００４】
一般に、液晶層は、長時間同じ電圧（直流電圧）が印加されていると、液晶層の傾きが固定化され、結果として残像現象を引き起こし、液晶層の寿命を縮めることになる。これを防止するために、液晶表示モジュールにおいては、液晶層に印加する電圧をある一定時間毎に交流化、即ち、対向電極に印加する電圧を基準にして、画素電極に印加する電圧を、一定時間毎に正電圧側／負電圧側に変化させるようにしている。
この液晶層に交流電圧を印加する交流駆動方法として、コモン対称法が知られている。コモン対称法とは、対向電極に印加される電圧（Ｖｃｏｍ）を一定とし、画素電極に印加する電圧を、対向電極に印加される電圧を基準にして、交互に正、負に反転させる方法である。このコモン対称法として、ドット反転法あるいはＮライン反転法が知られている。
近年、より低コスト化を図るために、１ドレインドライバ当たりの出力本数を増加させて、液晶表示モジュールに使用するドレインドライバ数を低減するようにしている。このような状態において、液晶表示モジュールの交流駆動方式としてドット反転法を採用すると、ドレインドライバの発熱量が増大するという問題点があった。
【０００５】
そのため、液晶表示モジュールの交流駆動化方法として、図４に示す列毎反転交流駆動法が採用されている。この列毎反転交流駆動法では、（ｎ−１）フレーム期間に、ドレインドライバから、奇数番目の映像線に負極性の映像電圧が供給され、偶数番目の映像線に正極性の映像電圧が供給される。これにより、（ｎ−１）フレーム期間内には、奇数番目のサブピクセル（図４の黒丸で示すサブピクセル）には、負極性の映像電圧が書き込まれ。また、偶数番目のサブピクセル（図４の白丸で示すサブピクセル）には、正極性の映像電圧が書き込まれる。
また、ｎフレーム期間には、ドレインドライバから、奇数番目の映像線に正極性の映像電圧が供給され、偶数番目の映像線（ＤＬ）に負極性の映像電圧が供給される。さらに、（ｎ＋１）フレーム期間には、ドレインドライバから、奇数番目の映像線（ＤＬ）に負極性の映像電圧が供給され、偶数番目の映像線（ＤＬ）に正極性の映像電圧が供給される。
しかしながら、列毎反転交流駆動法を採用する液晶表示モジュールにおいて、黒挿入技術を採用した場合に、黒挿入期間の次の１水平走査期間にサブピクセルに書き込まれる映像電圧と、黒挿入期間の次の１水平走査期間以外の１水平走査期間にサブピクセルに書き込まれる映像電圧とに差が生じ、それにより、黒挿入期間の次の１水平走査期間に対応する位置に横筋が発生し、表示品質が劣化するという問題点があった。
本発明は、前記従来技術の問題点を解決するためになされたものであり、本発明の目的は、液晶表示装置において、列毎反転交流駆動法と黒挿入技術を採用した場合に生じる横筋を抑制して高品質の映像を表示することが可能となる技術を提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
（１）複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、前記複数の走査線に走査電圧を供給する走査線駆動回路と、前記複数の映像線に映像電圧を供給する映像線駆動回路とを備え、前記複数のサブピクセルの各サブピクセルは、画素電極と、対向電極とを有し、前記複数のサブピクセルの各サブピクセルには、１フレーム期間の黒挿入期間内に液晶表示パネルに黒を表示する映像電圧が供給され、前記対向電極に入力する対向電圧よりも高電位の映像電圧を正極性の映像電圧、また、前記対向電極に入力する対向電圧よりも低電位の映像電圧を負極性の映像電圧とするとき、１フレーム期間に前記映像線駆動回路から互いに隣接する前記各映像線に供給する映像電圧の極性は異なっているとともに、１フレーム期間に前記映像線駆動回路から前記各映像線に供給する映像電圧の極性は一定で、かつ、連続する２つのフレームの間では前記映像線駆動回路から前記各映像線に供給される映像電圧の極性が異なっている液晶表示装置であって、１水平走査期間の長さをＨａ、αを任意の値とするとき、前記黒挿入期間の次の１水平走査期間の長さをＨ、前記黒挿入期間の次の１水平走査期間以外の１水平走査期間の長さを（Ｈａ−α）とする。
（２）（１）において、前記走査線駆動回路にシフトクロックを送出する表示制御回路を備え、前記表示制御回路は、前記シフトクロックのパルス幅を変更し、前記黒挿入期間の次の１水平走査期間の長さをＨ、前記黒挿入期間の次の１水平走査期間以外の１水平走査期間の長さを（Ｈａ−α）とする。
（３）（２）において、前記黒挿入期間の次の１水平走査期間以外の１水平走査期間における前記シフトクロックのＨｉｇｈレベルのパルス幅が、前記黒挿入期間の次の１水平走査期間の前記シフトクロックにおけるＨｉｇｈレベルのパルス幅よりも広い。
【０００７】
（４）複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、前記複数の走査線に走査電圧を供給する走査線駆動回路と、前記複数の映像線に映像電圧を供給する映像線駆動回路とを備え、前記複数のサブピクセルの各サブピクセルは、画素電極と、対向電極とを有し、前記複数のサブピクセルの各サブピクセルには、１フレーム期間の黒挿入期間内に液晶表示パネルに黒を表示する映像電圧が供給され、前記対向電極に入力する対向電圧よりも高電位の映像電圧を正極性の映像電圧、また、前記対向電極に入力する対向電圧よりも低電位の映像電圧を負極性の映像電圧とするとき、１フレーム期間に前記映像線駆動回路から互いに隣接する前記各映像線に供給する映像電圧の極性は異なっているとともに、１フレーム期間に前記映像線駆動回路から前記各映像線に供給する映像電圧の極性は一定で、かつ、連続する２つのフレームの間では前記映像線駆動回路から前記各映像線に供給される映像電圧の極性が異なっている液晶表示装置であって、１水平走査期間の映像電圧の基準書き込み時間をＨｂ、βを任意の値とするとき、前記黒挿入期間の次の１水平走査期間の映像電圧書き込み時間をＨｂ、前記黒挿入期間の次の１水平走査期間以外の１水平走査期間の映像電圧書き込み時間を（Ｈｂ−β）とする。
（５）（４）において、前記映像線駆動回路に出力タイミング制御用クロックを送出する表示制御回路を備え、前記表示制御回路は、前記出力タイミング制御用クロックのパルス幅を変更し、前記黒挿入期間の次の１水平走査期間の映像電圧書き込み時間をＨｂ、前記黒挿入期間の次の１水平走査期間以外の１水平走査期間の映像電圧書き込み時間を（Ｈｂ−β）とする。
（６）（５）において、前記黒挿入期間の次の１水平走査期間以外の１水平走査期間における前記シフトクロックのＨｉｇｈレベルのパルス幅が、前記黒挿入期間の次の１水平走査期間の前記シフトクロックにおけるＨｉｇｈレベルのパルス幅よりも広い。
（７）（１）ないし（６）の何れかにおいて、前記対向電極に入力する対向電圧は一定である。
【発明の効果】
【０００８】
本願において開示される発明のうち代表的なものによって得られる効果を簡単に説明すれば、下記の通りである。
本発明の液晶表示装置によれば、列毎反転交流駆動法と黒挿入技術を採用した場合に生じる横筋を抑制して高品質の映像を表示することが可能となる。
【発明を実施するための最良の形態】
【０００９】
以下、図面を参照して本発明の実施例を詳細に説明する。
なお、実施例を説明するための全図において、同一機能を有するものは同一符号を付け、その繰り返しの説明は省略する。
図１は、本実施例の液晶表示モジュールの概略構成を示すブロック図である。
本実施例の液晶表示モジュールは、液晶表示パネル１と、ドレインドライバ２と、ゲートドライバ３と、表示制御回路４と、電源回路５とで構成される。
ドレインドライバ２と、ゲートドライバ３は、液晶表示パネル１の周辺部に設置される。ゲートドライバ３は、液晶表示パネル１の一辺に配置されたゲートドライバＩＣから構成される。また、ドレインドライバ２は、液晶表示パネル１の他の辺に配置されたドレインドライバＩＣから構成される。
表示制御回路４は、パソコンやテレビ受信回路等の表示信号源（ホスト側）から入力する表示信号を、データの交流化等、液晶表示パネル１の表示に適したタイミング調整を行い、表示形式の表示データに変換して同期信号（クロック信号）と共にゲートドライバ３、ドレインドライバ２に入力する。電源回路５は液晶表示モジュールに要する各種の電圧を生成する。
【００１０】
図１において、ＤＬは、映像線（ドレイン線、ソース線ともいう）、ＧＬは走査線（ゲート線ともいう）、ＰＸは各色（赤、緑、青）の画素電極であり、ＣＴは対向電極（コモン電極ともいう）、ＬＣは液晶層を等価的に示す液晶容量、Ｃａｄｄは、対向電極（ＣＴ）と画素電極（ＰＸ）の間に形成された保持容量である。
図１に示す液晶表示パネル１において、列方向に配置された各サブピクセルの薄膜トランジスタ（ＴＦＴ）のドレイン電極は、それぞれ映像線（ＤＬ）に接続され、各映像線（ＤＬ）は列方向に配置されたサブピクセルに、表示データに対応する映像電圧を供給するドレインドライバ２に接続される。
また、行方向に配置された各サブピクセルにおける薄膜トランジスタ（ＴＦＴ）のゲート電極は、それぞれ走査線（ＧＬ）に接続され、各走査線（ＧＬ）は、１水平走査時間、薄膜トランジスタ（ＴＦＴ）のゲートに走査電圧（正または負のバイアス電圧）を供給するゲートドライバ３に接続される。
ゲートドライバ３は、表示制御回路４から送出されるシフトクロック（ＣＬ３）に同期して走査線（ＧＬ）に走査電圧を供給し、また、ドレインドライバ２は、表示制御回路４から送出されるクロック（ＣＬ１，ＣＬ２）に従い映像線（ＤＬ）に映像電圧を供給して映像を表示する。
液晶表示パネル１に画像を表示する際、ゲートドライバ３は、上から下（あるいは、下から上）に向かって走査線（ＧＬ）に選択走査電圧を供給し、一方で、ある走査線（ＧＬ）に選択走査電圧が供給されている期間中に、ドレインドライバ２は、表示データに対応する映像電圧を、映像線（ＤＬ）に供給し、画素電極（ＰＸ）に印加する。
映像線（ＤＬ）に供給された電圧は、薄膜トランジスタ（ＴＦＴ）を経由して、画素電極（ＰＸ）に印加され、最終的に、保持容量（Ｃａｄｄ）と、液晶容量（ＬＣ）に電荷がチャージされ、液晶分子をコントロールすることにより画像が表示される。
【００１１】
次に、列毎反転交流駆動法を採用する液晶表示モジュールにおいて、黒挿入技術を採用した場合に、黒挿入期間の次の１水平走査期間に対応する位置に横筋が発生する理由について説明する。
図５は、液晶表示モジュールにおいて、黒挿入技術を採用する場合のタイミングチャートを説明するための模式図である。
例えば、図５に示すように、液晶表示モジュールにおいて、黒挿入技術を採用する場合、Ｔ１〜Ｔ３のタイミングでは、ＧＬ１乃至ＧＬ３までの走査線を順次選択し、映像線（ＤＬ）に表示データに対応する映像電圧を供給することにより、ＧＬ１乃至ＧＬ３の走査線で選択されるサブピクセルに映像電圧を書き込む。
また、Ｔ４のタイミングでは、点線楕円で囲まれたＧＬ７乃至ＧＬ９までの走査線を同時に選択し、映像線（ＤＬ）に「黒」の表示データに対応する映像電圧を供給することにより、ＧＬ７乃至ＧＬ９の走査線で選択されるサブピクセルに「黒」の映像電圧を供給する。
また、Ｔ５〜Ｔ７のタイミングでは、ＧＬ４乃至ＧＬ６までの走査線を順次選択し、映像線（ＤＬ）に表示データに対応する映像電圧を供給することにより、ＧＬ４乃至ＧＬ６の走査線で選択されるサブピクセルに映像電圧を書き込む。
【００１２】
図６は、図５に示すタイミングチャートにおいて、映像線（ＤＬ）に供給される映像電圧を説明するための模式図である。なお、図６では、映像線（ＤＬ）に供給される映像電圧が正極性の映像電圧の場合を図示している。
図５に示すタイミングチャートにおいて、Ｔ４の期間の後の、Ｔ５〜Ｔ７の期間に表示される色が「白」色と仮定し、また、液晶表示モジュールがノーマリブラック特性であり、列毎反転交流駆動法を採用する場合には、Ｔ４の期間に映像線（ＤＬ）に、最も低電位の映像電圧（ＶＸＬＯＷ）が供給され、Ｔ５〜Ｔ７の期間に映像線（ＤＬ）に、最も高電位の映像電圧（ＶＸＭＡＸ）が供給されることになる。
しかしながら、映像線（ＤＬ）は一種の分布定数線路と見なせるので、映像線上の電圧は、図６のＡに示すように、Ｔ４の期間に供給されている最も低電位の映像電圧（ＶＸＬＯＷ）から、Ｔ５の期間に供給される最も高電位の映像電圧（ＶＸＭＡＸ）に、所定の時間経過後に立ち上がることになる。これに対して、Ｔ５の期間とＴ６の期間には最も高電位の映像電圧（ＶＸＭＡＸ）が供給され、さらに、列毎反転交流駆動法では１フレーム内の同じ映像線（ＤＬ）に供給される映像電圧の極性は同じであるので、Ｔ６の期間に映像線上の電圧は、最も高電位の映像電圧（ＶＸＭＡＸ）に速やかに立ち上がることになる。
【００１３】
そのため、図７のＡに示すように、Ｔ５の期間に、サブピクセルに書き込まれる映像電圧と、Ｔ６の期間に、サブピクセルに書き込まれる映像電圧との間には、ΔＶの電圧差が生じることになる。これにより、Ｔ５の期間（即ち、黒挿入期間の次の１水平走査期間）に対応する位置に横筋が発生し、表示品質が劣化する。
なお、図７は、従来の液晶表示モジュールにおいて、黒挿入期間の次の１水平走査期間にサブピクセルに書き込まれる映像電圧と、それ以外の１水平走査期間にサブピクセルに書き込まれる映像電圧とを説明するための図である。
そこで、本実施例では、図２−１に示すように、Ｔ５の期間以外の期間の長さを、Ｔ５の期間の長さよりも短くしたものである。即ち、本実施例では、Ｔ５の期間（即ち、黒挿入期間の次の１水平走査期間）の長さを正規の１水平走査期間の長さ（Ｈａ）となし、Ｔ５の期間以外の期間の長さを（Ｈａ−α）とすることを最も主要な特徴とする。ここで、αは液晶表示モジュール毎に設定される値である。
本実施例によれば、Ｔ５以外の期間内のサブピクセルへの映像電圧の書き込み時間が、Ｔ５の期間のサブピクセルへの映像電圧の書き込み時間よりも短くなるので、Ｔ５の期間に、サブピクセルに書き込まれる映像電圧と、Ｔ６の期間に、サブピクセルに書き込まれる映像電圧との間の電位差をほぼ０Ｖにすることができるので、Ｔ５の期間（即ち、黒挿入期間の次の１水平走査期間）に対応する位置に横筋が発生するのを防止することが可能となる。
なお、図２−１は、本実施例の液晶表示モジュールにおいて、黒挿入期間の次の１水平走査期間にサブピクセルに書き込まれる映像電圧と、それ以外の１水平走査期間にサブピクセルに書き込まれる映像電圧とを説明するための図である。
【００１４】
図２−２は、図２−１に示すタイミング制御を実行するための回路構成を説明するためのブロック図である。なお、この回路は、表示制御回路４内に設けられる。
図２−２において、３１は、Ｈｉｇｈレベルのパルス幅が短いクロックを生成するクロック生成回路であり、クロック生成回路３１は、黒挿入期間の次の１水平走査期間（図２−１のＴ５の期間）にゲートドライバ３に供給されるシフトクロック（ＣＬ３）を生成する。３２は、Ｈｉｇｈレベルのパルス幅が長いクロックを生成するクロック生成回路であり、クロック生成回路３２は、黒挿入期間の次の１水平走査期間以外の１水平走査期間（図２のＴ５以外の期間）にゲートドライバ３に供給されるシフトクロック（ＣＬ３）を生成する。
シフトクロック（ＣＬ３）のＨｉｇｈレベルのパルス幅が長くなると、薄膜トランジスタ（ＴＦＴ）がゲートオフとなる時刻が早くなり、１水平走査期間の長さが短くなる。これにより、１水平走査期間内のサブピクセルに映像電圧を書き込むための書き込み時間が短くなる。
クロック生成回路３１とクロック生成回路３２から出力されるクロックは、セレクタ３３により選択されてゲートドライバ３に供給される。このセレクタ３３は、制御回路３４により制御され、制御回路３４は、黒挿入期間の次の１水平走査期間と、それ以外の１水平走査期間とに応じてセレクタ３３を制御する。
【００１５】
前述の説明では、Ｔ５の期間（即ち、黒挿入期間の次の１水平走査期間）と、Ｔ５の期間以外の期間の長さを変更して、Ｔ５の期間にサブピクセルに書き込まれる映像電圧と、Ｔ５の期間以外の期間にサブピクセルに書き込まれる映像電圧との間の電位差をほぼ０Ｖにする場合について説明したが、１水平走査期間内に、ドレインドライバ２から映像電圧を出力するタイミングを遅らせて、Ｔ５の期間にサブピクセルに書き込まれる映像電圧と、Ｔ５の期間以外の期間にサブピクセルに書き込まれる映像電圧との間の電位差をほぼ０Ｖにすることもできる。
即ち、図３−１に示すように、１水平走査期間の映像電圧の基準書き込み時間をＨｂ、βを任意の値とするとき、Ｔ５の期間内の映像電圧の書き込み時間を（Ｈｂ）となし、Ｔ５の期間以外の期間内の映像電圧の書き込み時間（Ｈｂ−α）とする。
本実施例の変形例でも、Ｔ５以外の期間のサブピクセルへの映像電圧の書き込み時間が、Ｔ５の期間のサブピクセルへの映像電圧の書き込み時間よりも短くなるので、Ｔ５の期間に、サブピクセルに書き込まれる映像電圧と、Ｔ６の期間に、サブピクセルに書き込まれる映像電圧との間の電位差をほぼ０Ｖにすることができるので、Ｔ５の期間（即ち、黒挿入期間の次の１水平走査期間）に対応する位置に横筋が発生するのを防止することが可能となる。
なお、図３−１は、本実施例の変形例の液晶表示モジュールにおいて、黒挿入期間の次の１水平走査期間にサブピクセルに書き込まれる映像電圧と、それ以外の１水平走査期間にサブピクセルに書き込まれる映像電圧とを説明するための図である。
【００１６】
図３−２は、図３−１に示すタイミング制御を実行するための回路構成を説明するためのブロック図である。なお、この回路は、表示制御回路４内に設けられる。
図３−２において、３５は、Ｈｉｇｈレベルのパルス幅が短いクロックを生成するクロック生成回路であり、クロック生成回路３５は、黒挿入期間の次の１水平走査期間（図２のＴ５の期間）にドレインドライバ２に供給される出力タイミング制御用クロック（ＣＬ１）を生成する。３６は、Ｈｉｇｈレベルのパルス幅が長いクロックを生成するクロック生成回路であり、クロック生成回路３６は、黒挿入期間の次の１水平走査期間以外の１水平走査期間（図３−１のＴ５以外の期間）にドレインドライバ２に供給される出力タイミング制御用クロック（ＣＬ１）を生成する。
出力タイミング制御用クロック（ＣＬ１）のＨｉｇｈレベルのパルス幅が長くなると、ドレインドライバ２から各映像線（ＤＬ）に出力する映像電圧の出力タイミングが遅くなるので、これにより、１水平走査期間内のサブピクセルに映像電圧を書き込むための書き込み時間が短くなる。
クロック生成回路３５とクロック生成回路３６から出力されるクロックは、セレクタ３３により選択されてドレインドライバ２に供給される。このセレクタ３３は、制御回路３４により制御され、制御回路３４は、黒挿入期間の次の１水平走査期間と、それ以外の１水平走査期間とに応じてセレクタ３３を制御する。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１７】
【図１】本発明の実施例の液晶表示モジュールの概略構成を示すブロック図である。
【図２−１】本発明の実施例の液晶表示モジュールにおいて、黒挿入期間の次の１水平走査期間にサブピクセルに書き込まれる映像電圧と、それ以外の１水平走査期間にサブピクセルに書き込まれる映像電圧とを説明するための図である。
【図２−２】図２−１に示すタイミング制御を実行するための回路構成を説明するためのブロック図である。
【図３−１】本発明の実施例の変形例の液晶表示モジュールにおいて、黒挿入期間の次の１水平走査期間にサブピクセルに書き込まれる映像電圧と、それ以外の１水平走査期間にサブピクセルに書き込まれる映像電圧とを説明するための図である。
【図３−２】図３−１に示すタイミング制御を実行するための回路構成を説明するためのブロック図である。
【図４】液晶表示モジュールの交流駆動化方法の一つである、列毎反転交流駆動法を説明するための図である。
【図５】液晶表示モジュールにおいて、黒挿入技術を採用する場合のタイミングチャートを説明するための模式図である。
【図６】図５に示すタイミングチャートにおいて、映像線に供給される映像電圧を説明するための模式図である。
【図７】従来の液晶表示モジュールにおいて、黒挿入期間の次の１水平走査期間にサブピクセルに書き込まれる映像電圧と、それ以外の１水平走査期間にサブピクセルに書き込まれる映像電圧とを説明するための図である。
【符号の説明】
【００１８】
１  液晶表示パネル
２  ドレインドライバ
３  ゲートドライバ
４  表示制御回路  
５  電源回路
３１，３２  クロック生成回路
３３  セレクタ
３４  制御回路
ＤＬ  映像線（ドレイン線、ソース線）
ＧＬ  走査線（ゲート線）
ＩＴＯ１  サブピクセル電極
ＩＴＯ２  対向電極（コモン電極）
ＴＦＴ  薄膜トランジスタ
ＬＣ  液晶容量
Ｃｓｔｇ  保持容量
ＣＴ  対向電極
【図１】
2008256947.tif 000003
【図２−１】
2008256947.tif 000004
【図２−２】
2008256947.tif 000005
【図３−１】
2008256947.tif 000006
【図３−２】
2008256947.tif 000007
【図４】
2008256947.tif 000008
【図５】
2008256947.tif 000009
【図６】
2008256947.tif 000010
【図７】
2008256947.tif 000011